(57)【要約】【課題】ランプを覆う制光体を軽量にできるとともに、この軽量化に拘わらず制光体を所定の形状にして制光体ホルダに支持できる照明器具を提供する。【解決手段】ランプ７が支持される平面視長四角形状の器具本体２に、この本体の下部外周を囲む長四角枠状のグローブホルダ（制光体ホルダ）11を開閉可能に取付ける。ホルダ11が備えた一対の枠材12に、ランプ７側に突出された内方突出部14、及び突出部14の下側近傍に位置してランプ側に突出された支持縁13を設ける。ランプを下方から覆ったグローブ(制光体)21を、外側方に折れ曲がって支持縁13に引掛けられる張出し縁22aを有したグローブ本体（制光体本体）22、及びこの本体に接着されてグローブ本体22の長手方向の端を閉じた制光体端板24を備えて形成する。枠材12にグローブ押え（制光体押え）31を固定し、この押えが有した押え縁31cで、張出し縁22aをその長手方向略全長にわたり支持縁13との間に挟持する。【選択図】      図２
2008034252.tif 000002
【特許請求の範囲】
【請求項１】
平面視長四角形状で下方に開放された器具本体と；
この器具本体に支持されたランプと；
前記器具本体の長手方向に延びる一対の枠材及びこれら枠材の端間にわたって配設された端枠材を備えて長四角枠状に形成され、前記器具本体に開閉可能に取付けられて前記器具本体の下部外周を囲んで配置される制光体ホルダであって、前記枠材が、前記ランプ側に突出された内方突出部及びこの内方突出部の下側近傍に位置して前記ランプ側に突出された支持縁を有している制光体ホルダと；
上方に開放されているとともに外側方に折れ曲がった張出し縁を有した制光体本体、及びこの制光体本体に接着されて前記制光体本体の長手方向の端を閉じて配置された制光体端板を備え、前記張出し縁を前記支持縁に引掛けて前記制光体ホルダに支持されるとともに前記ランプを下方から覆った制光体と；
前記張出し縁をその長手方向略全長にわたり前記支持縁との間に挟持する押え縁を有して一対の前記枠材に夫々固定された制光体押えと；
を具備したことを特徴とする照明器具。
【請求項２】
前記制光体ホルダの端枠材が前記内方突出部の下面に面一的に連続して設けられているとともに、前記制光体は前記制光体本体の長手方向両端部の内面に沿って接着された端部材を備えており、この端部材は前記制光体本体の幅方向両端間にわたって真っ直ぐ設けられた部位を有して形成され、この部位を、一対の前記張出し縁の上面に面一的に連続させて前記端枠材の下側近傍に配置するとともに、前記端枠材と前記部位及びこれに連続した前記張出し縁との間に防虫パッキンを挟設したことを特徴とする請求項１に記載の照明器具。
【発明の詳細な説明】
【技術分野】
【０００１】
本発明は、例えば電車の車内灯等として使用される照明器具に関する。
【背景技術】
【０００２】
従来、電車用照明器具は、車両の長手方向に延びる器具本体に、この本体にランプソケットを介して支持された直管型蛍光ランプを覆うグローブを支える枠体を開閉可能に取付けている。
【０００３】
枠体は長四角枠状であって、この枠体にグローブを支持するために、枠体の長手方向に延びる一対の枠材は、その下端に内向きに折り曲げられた支持縁を有しているとともに、この上側近傍に位置される内方突出部を一体に有している。光拡散透過性の合成樹脂の一体成形品からなるグローブは、その長手方向に延びて外側に張出した側縁部を、枠材の支持縁に引掛けることにより、枠体に取付けられている。
【０００４】
そして、電車の走行に伴う振動に拘わらずにグローブが動揺して騒音を発しないようにするために、クローブ押えが複数使用されている。これらグローブ押えは、内方突出部の長手方向に間隔を置いて複数ねじ止めされ、夫々のグロープ押えの押え突片が弾性変形してグローブの側縁部を部分的に枠材の支持縁との間に挟むことにより、グローブの動揺を抑制している（例えば、特許文献１参照。）。
【特許文献１】特開２００２−１０９９４４号公報（段落0022−0024、0036−0041、図１、図２、図１０、図１１）
【発明の開示】
【発明が解決しようとする課題】
【０００５】
グローブを合成樹脂の一体成形品とした従来の技術では、グローブの各部の肉厚をある程度以上薄くすることは成形技術上難しいとされているため、グローブは比較的重くならざるを得ない。ランプを覆うグローブを軽量にすることは、器具重量の軽量化が促進されるだけではなく、車両用照明器具等の天井部に設置される照明器具で、清掃作業時やランプ交換時においてグローブを開閉する際の作業性を向上することができる点で好ましい。しかし、こうした軽量化の要請は特許文献１の技術では満たすことができない。
【０００６】
本発明の目的は、ランプを覆う制光体を軽量にできるとともに、この軽量化に拘わらず制光体を所定の形状にして制光体ホルダに支持できる照明器具を提供することにある。
【課題を解決するための手段】
【０００７】
請求項１の発明は、平面視長四角形状で下方に開放された器具本体と；この器具本体に支持されたランプと；前記器具本体の長手方向に延びる一対の枠材及びこれら枠材の端間にわたって配設された端枠材を備えて長四角枠状に形成され、前記器具本体に開閉可能に取付けられて前記器具本体の下部外周を囲んで配置される制光体ホルダであって、前記枠材が、前記ランプ側に突出された内方突出部及びこの内方突出部の下側近傍に位置して前記ランプ側に突出された支持縁を有している制光体ホルダと；上方に開放されているとともに外側方に折れ曲がった張出し縁を有した制光体本体、及びこの制光体本体に接着されて前記制光体本体の長手方向の端を閉じて配置された制光体端板を備え、前記張出し縁を前記支持縁に引掛けて前記制光体ホルダに支持されるとともに前記ランプを下方から覆った制光体と；前記張出し縁をその長手方向略全長にわたり前記支持縁との間に挟持する押え縁を有して一対の前記枠材に夫々固定された制光体押えと；を具備したことを特徴としている。
【０００８】
この請求項１の発明では、制光体本体の長手方向の端部にこの制光体本体の長手方向の端を閉じる制光体端板を接着することで、制光体が所定形状を得て組立てられている。このため、制光体本体及び制光体端板をなす制光材料を一体成形する場合のような厚み制約がなく、制光材料にあたかも薄紙のような薄肉素材を使用でき。したがって、軽量な制光体を用いた照明器具とできる。
【０００９】
ところで、薄肉化により軽量となった制光体は、その長手方向に延びている制光体本体の上端部が変形しやすい。これに伴って、制光体本体の張出し縁を枠体の支持縁との間に挟む制光体押えを、従来技術のように複数用いて張出し縁の長手方向に間隔的に配置すると、これら制光体押えで押えられていない部分が容易に変形をして、制光体本体の上端部が波を打つように変形することがある。
【００１０】
これへの対策として請求項１の発明では、制光体本体の張出し縁をその長手方向略全長にわたり枠材の支持縁との間に挟持する押え縁を有した制光体押えを使用したので、制光体本体の上端部が波を打つように変形することが防止されて、制光体を所定の形状に保持して制光体ホルダに支持できる。しかも、張出し縁をその長手方向略全長にわたって上下から挟持したことで、制光体本体の長手方向中間部が側方から押された場合にも、張出し縁の長手方向中間部が支持縁から外れることを抑制できる。
【００１１】
請求項２の発明は、請求項１の発明において、前記制光体ホルダの端枠材が前記内方突出部の下面に面一的に連続して設けられているとともに、前記制光体は前記制光体本体の長手方向両端部の内面に沿って接着された端部材を備えており、この端部材は前記制光体本体の幅方向両端間にわたって真っ直ぐ設けられた部位を有して形成され、この部位を、一対の前記張出し縁の上面に面一的に連続させて前記端枠材の下側近傍に配置するとともに、前記端枠材と前記部位及びこれに連続した前記張出し縁との間に防虫パッキンを挟設したことを特徴としている。
【００１２】
この請求項２の発明では、防虫パッキンが制光体ホルダの長手方向の端と制光体の長手方向の端との間に弾性変形して挟設されるので、防虫型の照明器具とできる。それだけではなく、弾性変形された防虫パッキンが戻ろうとする力を、端部材の第２の部位で受止めて、薄肉な制光体端板に前記力が作用しないようにできる。これにより、制光体端板の防水パッキンに接した側が波打つように変形することが防止されて、制光体を所定の形状に保持できる。
【発明の効果】
【００１３】
請求項１に係る発明の照明器具によれば、一体成形によらずに形成されてランプを覆う制光体を使用したことで、この制光体を軽量にできるとともに、この軽量化に拘わらず制光体が備えた制光体本体の張出し縁側が波打つことを防止し制光体を所定の形状に保持できる。
【００１４】
請求項２に係る発明の照明器具によれば、防虫型の照明器具とできることに加えて、防虫パッキンを原因として制光体が備えた制光体端板の防虫パッキン側が波打つことを防止して制光体を所定の形状に保持することができる。
【発明を実施するための最良の形態】
【００１５】
電車の車内灯として使用される本発明の一実施例に係る照明器具を図１〜図８を参照して説明する。
【００１６】
図１及び図２に示されるように照明器具１は、器具本体２と、点灯装置５と、ランプソケット６と、ランプ例えば直管型の蛍光ランプ７と、制光体ホルダとして例えばグローブホルダ（以下ホルダと略称する。）１１と、制光体として例えばグローブ２１と、制光体押さえとして例えばグローブ押え３１等を備えている。なお、本発明において、ランプつまり光源は蛍光ランプに制約されず、発光ダイオード等の半導体発光素子を発光源とするランプ、又は、有機ＥＬ（エレクトロルミネセンス）素子を発光源とするランプ等も使用することができる。
【００１７】
器具本体２は、平面視長四角形状であり、下方に開放されている。この器具本体２は、本体主部３と、一対の本体端板４（図１及び図２に一方のみ図示）とから形成されている。本体端板４は、本体主部３の長手方向の両端部にこの端部の開口を閉じて取付けられている。
【００１８】
本体主部３は、水平状の中央壁部３ａ、一対の斜状壁部３ｂ、水平状の一対の張出し壁部３ｃ、及び一対の側壁部３ｄからなる。一対の斜状壁部３ｂは、中央壁部３ａの両側から斜め下向きに折り曲げられて、互いに逆方向に傾斜してハの字状に設けられている。一対の張出し壁部３ｃは互いに反対向きに斜状壁部３ｂの下縁から外側方に向けて折り曲げられている。一対の側壁部３ｄは張出し壁部から垂直下方に向けて折り曲げられている。
【００１９】
器具本体２は、その一対の張出し壁部３ｃを電車の天井面(図示しない)に当接させるとともに、一対の斜状壁部３ｂ及び中央壁部３ａを、前記天井面に開口された埋め込み孔に挿入して、天井面に設置される。この設置は張出し壁部３ｃを上向きに通るねじを天井面にねじ込むことによってなされる。
【００２０】
本体主部３及び本体端板４は、いずれも鋼板製、例えば白色プレコート鋼板で作られている。この鋼板のコーテングされた面は、白色顔料を含んだ塗料層と、この層を覆う保護層としての樹脂層とからなる。このコーテングされた面が器具本体２の内側部空間に臨んで配置され、それにより、器具本体２の内面全体が反射面として機能するようになっている。
【００２１】
塗料層での反射率は膜厚が厚くなるほど向上するが、厚くなるほど本体主部３の曲げ加工性が低下するので、この加工性を損なわない範囲で最大級の厚みに設定することが好ましい。更に、樹脂層の反射率は、それに含まれる樹脂顔料である酸化チタンの粒子の大きさと含有量とに依存する。このため、酸化チタンの粒子の選択と含有量を増加することによって樹脂層の反射率を高めることが好ましい。本実施形態では、これらの対策を講じて器具本体２の反射率が従来の８３％に対して９２％に向上された高反射率の白色プレコート鋼板を使用したことにより、器具光束を１２％向上しつつ、器具の消費電力を１２％削減できたので、器具の固有エネルギー消費効率としては２７％の改善ができた。
【００２２】
点灯装置５は例えば放電灯安定器からなる。この点灯装置５は中央壁部３ａの長手方向中央部上面にねじ止めされている。中央壁部３ａの長手方向両端部の下面には夫々ランプソケット６（図２に一方のみ図示）が取付けられている。これら一対のランプソケット６間には蛍光ランプ７が取外し可能に支持されている。蛍光ランプ７は、白色を放射するランプであってもよいが、例えば３波長の混合により昼白色を放射するランプを好適に使用できる。
【００２３】
図１に示すようにホルダ１１は、一対の枠材１２と一対の端枠材１６とを連結して、器具本体２より一回り大きい長四角枠状に形成されていて、図２に示すように器具本体２の下部外周を囲んで配置されている。一対の枠材１２はアルミニウム合金の押出し成形品からなり、互いに平行に配置されて器具本体２の長手方向に延びている。一対の端枠材１６は、鋼板からなり、折り曲げられた一対の連結片（図５に一方のみ図示）１６ａを有している。これらの連結片１６ａを枠材１２の長手方向の端部にねじ止めすることによって、端枠材１６は一対の枠材１２の長手方向の端間にわたって取付けられている。
【００２４】
図３で代表して示すように各枠材１２は、その下端に内向き、つまり、蛍光ランプ７側に折れ曲がって突出された支持縁１３を有している。更に、各枠材１２は、その内面から内向きに、つまり、蛍光ランプ７側に一体に突出された内方突出部１４を有している。支持縁１３は、内方突出部１４より短く、この内方突出部１４の下側近傍に設けられていて、これら支持縁１３と内方突出部１４との間に隙間が形成されている。
【００２５】
内方突出部１４は、枠材１２の内面から水平状に突出された支持縁１３に上側から対向した根元部位１４ａと、この根元部位１４ａから上向きに折れ曲がった立ち上がり１４ｂと、枠材１２の内面から遠ざかる方向に立ち上がり部位１４ｂの上端から折れ曲がったパッキン受け部１４ｃとから形成されている。図３及び図５に示すようにパッキン受け部１４ｃの上面には弾性変形が可能な防虫用パッキン２０ａが接着止めされている。
【００２６】
一対の端枠材１６は、鋼板からなり、折り曲げられた一対の連結片（図５に一方のみ図示）１６ａを有している。これらの連結片１６ａを枠材１２の長手方向端部において立ち上がり部位１４ｂにねじ止めすることによって、端枠材１６は一対の枠材１２の長手方向の端間にわたって取付けられている。この取付けにより、端枠材１６が内方突出部１４の根元部位１４ａの下面に面一的に連続されるとともに、端枠材１６の長手方向両端が枠材１２の内面に当接するように設けられている。
【００２７】
図４及び図５に示すように端枠材１６はパッキン受け部１４ｃに直角に連続するパッキン受け部１６ｂを有し、この上面には弾性変形が可能な防虫用パッキン２０ｂが接着止めされている。防虫用パッキン２０ａ、２０ｂは直角に連続している。
【００２８】
以上の構成のホルダ１１の一方の枠材１２は、その長手方向複数個所で器具本体２の一方の側壁部３ｄにヒンジ（図２に一つのみ図示）１８により回転可能に連結されている。ホルダ１１の他方の枠材１２の長手方向複数個所にはラッチ金具（図２に一つのみ図示）１９が取付けられている。
【００２９】
ホルダ１１は、ヒンジ１８を支点として回転することにより器具本体２に対して開閉される。この開閉はランプ交換等の際に行われる。ラッチ金具１９は、前記他方の側壁部３ｄに設けられたラッチ係合部３ｅに係脱可能であり、図３に示したようにラッチ係合部３ｅにラッチ金具１９が引掛けられることで、ホルダ１１が閉じ位置に保持される(この保持状態を図２に示す)。この閉じ位置にホルダ１１が配置された状態では、図２に示すように防虫用パッキン２０ａ、２０ｂが弾性変形を伴って器具本体２の張出し壁部３ｃの下面に密接して、照明器具１の防虫が図られている。ラッチ金具１９が有した押込み部１９ａ（図３参照）はラッチ係合部３ｅから外す際にホルダ１１の外側から手動で押し込み操作されるようになっている。
【００３０】
図６及び図７（なお、図７での断面の部分はハッチングに代えて太線で描いてある。）等に示すように制光体としての透光性グローブ２１は、単一の制光体本体例えばグローブ本体２２、一対の端部材２３（一方のみ図示）、及び一対の制光体端板例えばグローブ端板２４（一方のみ図示）を備えて形成されている。
【００３１】
グローブ２１は、枠材１２と略同じ長さであって、上方に開放されているとともに、その上端から外側方に折れ曲がった張出し縁２２ａを有して、溝状をなしている。なお、グローブ２１の溝形状、つまり、グローブ２１の長手方向と直交する方向の断面形状は、図示例では略台径状であるが、この溝形状は任意に設計でき、例えば略円弧径状などであっても差し支えない。
【００３２】
端部材２３は、容易に変形しない強度を有していて、グローブ本体２２及びグローブ端板２４と同系色例えば白色系の合成樹脂材料等で作られている。この端部材２３は、第１の部位２３ａと第２の部位２３ｂから環形に形成されている。
【００３３】
第１の部位２３ａはグローブ２１の長手方向と直交する方向の断面形状に沿った形状をなしている。第２の部位２３ｂは第１の部位２３ａの両端にわたって真っ直ぐに設けられている。これら端部材２３はグローブ２１の長手方向の両端部内面に夫々接着剤を用いて配置されている。図６中符号Ｓ１はグローブ２１の端部内面に予定された接着領域を示している。接着された端部材２３の第２の部位２３ｂの平坦な上面は、一対の張出し縁２２ａに面一的に連続している。
【００３４】
一対のグローブ端板２４は、夫々端部材２３に接着されて、グローブ本体２２の長手方向の端を閉じている。図６中符号Ｓ２はグローブ端板２４の周部内面に予定された接着領域を示している。グローブ端板２４は、その上端から折り曲げられた端板張出し縁２４ａを有している。この端板張出し縁２４ａは、第２の部位２３ｂの上面に面一的に連続して第２の部位２３ｂから離れる方向に突出されている。
【００３５】
グローブ本体２２とグローブ端板２４とは透光性を有した同種の制光材料で作られている。なお、グローブ本体２２は以下の制光材料とすることが望ましいが、これとは異種の制光材料でグローブ端板２４を形成してもよい。
【００３６】
グローブ本体２２等を作る制光材料には、図８に示すように不燃層２５の表面に耐熱層２６を積層するとともに、不燃層２５の裏面に接着層２７を積層してなる薄手の素材を用いることができる。この制光材料の膜厚は例えば0.5±0.1ｍｍである。したがって、グローブ本体２２とグローブ端板２４が殆どの部位を占めて形成されたグローブ２１は、樹脂成形品のグローブに比較しては遥かに軽量である。
【００３７】
不燃層２５は不燃材料を多層に積層して作られている。不燃材料からなる層としては例えばガラス繊維を主材料（基材）とする層を挙げることができる。ガラス繊維の層は非常に融点が高く、この層を積層してなる不燃層２５はこれをコアとする制光材料に不燃性を与えることができる。このため、グローブ本体２２及びグローブ端板２４は、火炎が作用しても例えばアクリル樹脂やポリカーボネート樹脂等の難燃性合成樹脂のように稀に燃焼する恐れがない。
【００３８】
耐熱層２６は、耐熱性の単層又は複数の層で作られている。耐熱性材料としては例えば四弗化エチレン等を挙げることができる。四弗化エチレンの層は耐熱性が高いので、制光材料にその表面側から火炎が作用した場合に高熱で溶けることがない。又、四弗化エチレンの耐熱層２６の組織が極めて緻密であることから表面粗度が極めて小さく、耐熱層の表面に塵などが付着しづらく、付着した塵も容易に除去できる。
【００３９】
接着層２７は、グローブ本体２２及びグローブ端板２４を端部材２３に接着剤を用いて接着させる単層又は複数の層で作られていて、この接着性材料としては例えば難燃性のポリカーボネート樹脂を挙げることができる。この接着層２７は、耐熱層２６を作る材料に比較して融点が低いとともに、耐熱層２６に比較して遥かに接着性能が優れている。
【００４０】
グローブ２１は、その一対の張出し縁２２ａを、支持縁１３と内方突出部１４との間に形成されて本体主部３の長手方向に延びた隙間に、枠材１２の長手方向一端から挿入して、枠材１２の支持縁１３に引っ掛けることによって、本体主部３に支持されている。この場合、グローブ２１が適正位置に配置された状態で、端部材２３の第２の部位２３ｂが、本体主部３の端枠材１６の下側近傍に対向して配置されるようになっている。
【００４１】
互いに連続した張出し縁２２ａ及び第２の部位２３ｂと端枠材１６との間に、弾性変形が可能な材料で作られた防虫パッキン２９が挟設されている。防虫パッキン２９は端板張出し縁２４ａにも接している。この防虫パッキン２９は、本体主部３の長手方向に沿って本体主部３の長手方向中央部に向けて押し込まれることによって、弾性変形を伴って既述のように挟設されて照明器具１の防虫を図っている。
【００４２】
図４等に示すようにグローブ押え３１は、枠材１２と略同じ長さを有した細長い金属板からなり、ベース部３１ａ、位置決め縁３１ｂ、押え縁３１ｃ、及び複数の板ナット３２を有している。
【００４３】
ベース部３１ａは枠材１２の根元部位１４ａの下面に重なる部位である。位置決め縁３１ｂは、ベース部３１ａの幅方向一端から垂直上向きに折れ曲がって形成されており、枠材１２の立ち上がり部位１４ｂの内面に重なる部位である。押え縁３１ｃはベース部３１ａの幅方向他端から斜状に折れ曲がって形成されており、張出し縁２２ａを支持縁１３との間に挟持する部位である。板ナット３２は、ベース部３１ａの長手方向に沿って所定間隔毎に溶接止めされている。ベース部３１ａには板ナット３２が有したねじ孔３２ａに連通する通孔（図示しない）が開けられている。このグローブ押え３１の表面、つまり、内方突出部１４に臨まない面には、器具本体２の内面に塗布したのと同じ高反射性の塗料が塗布されている。
【００４４】
このグローブ押え３１は、ホルダ１１が器具本体２に取付けられる前であって、かつ、既述の手順でホルダ１１にグローブ２１及び防虫パッキン２９が取付けられた状態で、枠材１２にねじ３３を用いて固定される。この固定手順は以下の通リである。
【００４５】
まず、押え縁３１ｃを、その弾性変形を伴って支持縁１３と根元部位１４ａとの隙間に挿入しながら、ベース部３１ａと位置決め縁３１ｂとがなす角を、内方突出部１４の根元部位１４ａと立ち上がり部位１４ｂとがなす角に合わせる。これにより、グローブ押え３１が枠材１２の長手方向略全長に沿って配置されるとともに、押え縁３１ｃが支持縁１３との間に張出し縁２２ａを弾性的に挟持する。この挟持は、グローブ押え３１が枠材１２と略同じ長さであることにより、張出し縁２２ａの長手方向略全長についてなされる。
【００４６】
次に、グローブ押え３１の長手方向の位置を微調整してから、板ナット３２のねじ孔３２ａと根元部位１４ａに開けられたねじ通孔３４（図３及び図４参照）に上方からねじ３３を通し、このねじ３３を板ナット３２に螺合させて締付ける。これにより、グローブ押え３１が枠材１２に固定されるとともに、その押え縁３１ｃが支持縁１３との間にグローブ２１の張出し縁２２ａが略全長にわたって挟持される。
【００４７】
前記構成の防虫型の照明器具１が備えたグローブ２１は、その長手方向の両端に配置された端部材２３に、グローブ本体２２の長手方向の端部内面を接着するとともに、グローブ本体２２の長手方向の端を閉じるグローブ端板２４を接着することで、端部材２３の形状によって規定される所定形状を得て組立てられている。
【００４８】
このため、グローブ２１を合成樹脂で一体成形するものと異なり、グローブ本体２２及びグローブ端板２４をなす制光材料を一体成形する上での肉厚上の制約がないから、制光材料にあたかも薄紙のような薄肉素材を使用できる。したがって、グローブ２１が軽量化され、それに応じて照明器具１を軽量にできる。
【００４９】
以上のように軽量化のために薄肉とされたグローブ２１は、その長手方向に延びているグローブ本体２２の上端部が変形しやすい。
【００５０】
しかし、枠材１２と略同じ長さのグローブ押え３１を使用し、その押え縁３１ｃで、グローブ本体２２の張出し縁２２ａを長手方向略全長にわたり枠材１２の支持縁１３との間に挟持している。このため、ホルダ１１に支持されたグローブ本体２２の上端部が波を打つように変形することが防止される。しかも、この防虫型の照明器具１では、弾性変形した防虫パッキン２９が自由状態に戻ろうとする力が、端部材２３の第２の部位２３ｂで受止められている。これにより、グローブ本体２２と同様に薄肉なグローブ端板２４の上縁部に前記力が作用しないようにできるから、グローブ端板２４の上縁部が波打つように変形することを防止できる。
【００５１】
したがって、グローブ２１を所定の形状に形出しをした状態に保持することができるので、既述のグローブ２１の軽量化に伴って照明器具１の見栄えが悪くなることを防止できる。又、グローブ21が軽量化されたので、清掃作業時やランプ交換時においてグローブ２１を開閉操作する際の作業性を向上することができる。
【００５２】
更に、既述のように張出し縁２２ａをその長手方向略全長にわたり上下から挟持したことで、グローブ本体２２の長手方向中間部が側方から押された場合にも、張出し縁２２ａの長手方向中間部が支持縁１３から外れることが抑制されて、グローブ２１がホルダ１１から不容易に脱落する恐れを回避できる。
【００５３】
又、グローブ２１は、既述のようにガラス繊維を基材とした不燃層２５を有しているとともに、その表面に耐熱層２６を積層した構成を備えたので、不燃性のグローブ２１として構成されている。このため、難燃性のグローブと異なり、車両の火災持に器具本体２の外部から火炎が作用した場合に、グローブ２１が燃えるということがなく、グローブ２１が薄肉であっても優れた耐火性を発揮できる。
【００５４】
この照明器具１の点灯状態においては、蛍光ランプ７から放射された光は、グローブ２１のグローブ本体２２及びグローブ端板２４を通って照射される。ところで、既述のように不燃性を与えられたグローブ２１は、その材料ゆえに、ポリカーボネート樹脂等の難燃性合成樹脂製で一体成形されたグローブと比較して光の透過率が悪い。しかし、これに対処して、既述のように器具本体２の内面に塗布された塗料層で高反射性能を付与したので、照射野の明るさを改善できる。
【００５５】
又、本発明者による試作の結果、発光色が白色の蛍光ランプを使用した場合に、このランプが前記多層構造の不燃性グローブ２１を通して視認されると、グローブ本体２２に映るランプイメージに黄色味が強まり、違和感が強いことが分かった。しかし、本実施形態のように３波長混合の昼白色を発する蛍光ランプ７を用いることで、グローブ本体２２に映るランプイメージが白っぽくなり、器具体裁を好ましいものとできた。
【００５６】
照明器具１の点灯状態でのグローブ本体２２の明るさは、蛍光ランプ７の直下が最も明るく、張出し縁２２ａに近づくに従い明るさが低下する。しかし、既述のように張出し縁２２ａを押えるために用いた長尺なグローブ押え３１の表面は高反射塗料で塗装されている。これにより、グローブ本体２２の内面で反射されてグローブ押え３１に入射した光が、このグローブ押え３１の下方に反射される。したがって、グローブ本体２２の幅方向に沿う明るさの分布が改善され、この点でも器具体裁を好ましいものとできた。
【図面の簡単な説明】
【００５７】
【図１】本発明の一実施形態に係る照明器具を示す斜視図。
【図２】図１の照明器具をその長手方向一端から見て一部を切り欠いて示した側面図。
【図３】図２中Ｆ３部の拡大図。
【図４】図１の照明器具のグローブホルダとグローブとグローブ押えとの関係を示す分解斜視図。
【図５】図１の照明器具のグローブが支持されたグローブホルダの一部を示す斜視図。
【図６】図１の照明器具のグローブの一端部を分解して示す斜視図。
【図７】図１の照明器具のグローブの一端部を内側から示す断面図。
【図８】図１の照明器具のグローブが備える制光部材の一部を拡大して示す断面図。
【符号の説明】
【００５８】
１…照明器具、２…器具本体、６…ランプソケット、７…直管型の蛍光ランプ、１１…グローブホルダ（制光体ホルダ）、１２…枠材、１３…支持縁、１４…内方突出部、１６…端枠材、１８…ヒンジ、１９…ラッチ金具、２１…グローブ（制光体）、２２…グローブ本体（制光体本体），２２ａ…張出し縁、２３…縁部材、２３ａ…第１の部位、２３ｂ…第２の部位、２４…グローブ端板（制光体端板）、２５…不燃層、２６…耐熱層、２７…接着層、２９…防虫パッキン、３１…グローブ押え（制光体押え）、３１ｃ…押え縁、３３…ねじ
【図１】
2008034252.tif 000003
【図２】
2008034252.tif 000004
【図３】
2008034252.tif 000005
【図４】
2008034252.tif 000006
【図５】
2008034252.tif 000007
【図６】
2008034252.tif 000008
【図７】
2008034252.tif 000009
【図８】
2008034252.tif 000010